(57)【要約】【課題】落下や破損の防止を図ることができるエレベータのかご照明装置を得る。【解決手段】かご照明装置８は、かご１内の照明を行う照明ユニット１１と、天井パネル３ｂに取り付けられ、照明ユニット１１を支持する支持装置１２とを有している。照明ユニット１１は、かご１の天井パネル３ｂから下方へ離れた開離位置と、開離位置よりも天井パネル３ｂに近い通常位置との間で変位可能になっている。支持装置１２は、照明ユニット１１の開離位置への変位に逆らう弾性復元力を発生する支持ばね４３を有している。また、支持装置１２は、開離位置と通常位置との間で変位可能に照明ユニット１１を支持している。【選択図】図５
2013241236.tif 000002
【特許請求の範囲】
【請求項１】
かごの天井部から下方へ離れた開離位置と、上記開離位置よりも上記天井部に近い通常位置との間で変位可能で、上記かご内の照明を行う照明ユニット、及び
上記照明ユニットの上記開離位置への変位に逆らう弾性復元力を発生する支持弾性体を有し、上記天井部に取り付けられ、上記開離位置と上記通常位置との間で変位可能に上記照明ユニットを支持する支持装置
を備えていることを特徴とするエレベータのかご照明装置。
【請求項２】
上記支持装置は、上記天井部に対する上記照明ユニットの変位に応じて上記天井部に対して回動する回動体と、上記回動体の回動に対して抵抗力を発生する抵抗体とを有していることを特徴とする請求項１に記載のエレベータのかご照明装置。
【請求項３】
上記支持装置は、上記天井部に上下方向に沿って設けられた回動軸を中心に回動可能な回動体と、共通の上記回動体に接続され、上記照明ユニットを吊り下げる複数の吊り索と、上記回動体の回動に対して抵抗力を発生する抵抗体とを有していることを特徴とする請求項１に記載のエレベータのかご照明装置。
【請求項４】
各上記吊り索には、複数の上記吊り索のそれぞれの張力の大きさを平準化する張力調整用弾性体がそれぞれ設けられていることを特徴とする請求項３に記載のエレベータのかご照明装置。
【請求項５】
上記抵抗体は、上記回動体に接触する摩擦材であることを特徴とする請求項２〜請求項４のいずれか一項に記載のエレベータのかご照明装置。
【請求項６】
上記抵抗体は、油圧ダンパであることを特徴とする請求項２〜請求項４のいずれか一項に記載のエレベータのかご照明装置。
【請求項７】
上記支持装置は、上記天井部に保持された上記支持弾性体に接続され上記照明ユニットを吊り下げる吊り索と、上記吊り索の変位に対して抵抗力を発生する抵抗体とを有していることを特徴とする請求項１に記載のエレベータのかご照明装置。
【請求項８】
上記抵抗体は、上記吊り索に接触する摩擦材であることを特徴とする請求項７に記載のエレベータのかご照明装置。
【請求項９】
上記支持弾性体は、上記天井部に保持されるとともに上記照明ユニットを吊り下げ、
上記支持装置は、上記照明ユニットの横振れを抑制するための横振れ抑制装置を有し、
上記横振れ抑制装置は、上記天井部から下方へ突出する突出部材と、上記照明ユニットに設けられ、水平方向について上記突出部材に対向する対向部材とを有していることを特徴とする請求項１に記載のエレベータのかご照明装置。
【発明の詳細な説明】
【技術分野】
【０００１】
この発明は、かご内の天井部に設置されるエレベータのかご照明装置に関するものである。
【背景技術】
【０００２】
従来、かごの天井部に照明ランプを装着し、かご内の天井部から吊り下げられた吊天井で照明パネルを支持するようにしたエレベータかご室の天井照明装置が知られている（例えば特許文献１及び２参照）。
【０００３】
また、従来、蛍光ランプ、安定器及び照明カバーを一体化して構成した照明ユニットをかごの天井部に固定し、照明カバーの部分を避けて照明ユニットを箱体で覆うようにしたエレベータの照明装置も知られている（例えば特許文献３参照）。
【先行技術文献】
【特許文献】
【０００４】
【特許文献１】特開２００５−５２０６号公報
【特許文献２】実開平５−１９２７３号公報
【特許文献３】特開２００４−１１５２０９号公報
【発明の概要】
【発明が解決しようとする課題】
【０００５】
しかし、上記のような従来のエレベータでは、照明装置がかごの天井部に固定されているので、例えば地震の発生や非常止め装置の作動等によりかごが急停止した場合、かごの急停止による大きな慣性力がそのまま照明装置に加わってしまい、照明装置が落下したり破損したりしてしまうおそれがある。
【０００６】
この発明は、上記のような課題を解決するためになされたものであり、落下や破損の防止を図ることができるエレベータのかご照明装置を得ることを目的とする。
【課題を解決するための手段】
【０００７】
この発明に係るエレベータのかご照明装置は、かごの天井部から下方へ離れた開離位置と、開離位置よりも天井部に近い通常位置との間で変位可能で、かご内の照明を行う照明ユニット、及び照明ユニットの開離位置への変位に逆らう弾性復元力を発生する支持弾性体を有し、天井部に取り付けられ、開離位置と通常位置との間で変位可能に照明ユニットを支持する支持装置を備えている。
【発明の効果】
【０００８】
この発明に係るエレベータのかご照明装置によれば、かごが急停止したとしても、支持弾性体の弾性変形により照明ユニットへの衝撃を吸収することができ、照明ユニットの落下や破損の防止を図ることができる。
【図面の簡単な説明】
【０００９】
【図１】この発明の実施の形態１によるエレベータを示す構成図である。
【図２】図１のII-II線に沿った断面図である。
【図３】図１のかご室の上部を示す拡大図である。
【図４】図３のかご照明装置を示す一部破断斜視図である。
【図５】図３のかご照明装置の照明ユニットが下方へ変位した状態を示す側面図である。
【図６】図４の支持機構部を示す拡大斜視図である。
【図７】図６のかご照明装置をかご内に取り付けるときの状態を示す図６のVII-VII線に沿った断面図である。
【図８】この発明の実施の形態２によるエレベータのかご照明装置を示す平面図である。
【図９】図８の照明ユニットが通常位置にあるときの状態を示す要部断面図である。
【図１０】図９のX-X線に沿った断面図である。
【図１１】図９の照明ユニットが開離位置にあるときの状態を示す要部断面図である。
【図１２】図８の支持装置を下方から見たときの状態を示す要部斜視図である。
【図１３】この発明の実施の形態３によるエレベータのかご照明装置を示す平面図である。
【図１４】図１３の照明ユニットが通常位置にあるときの状態を示す要部断面図である。
【図１５】図１４の照明ユニットが開離位置にあるときの状態を示す要部断面図である。
【図１６】この発明の実施の形態４によるエレベータのかご照明装置を示す平面図である。
【図１７】図１６の照明ユニットが通常位置にあるときの状態を示す要部断面図である。
【図１８】図１７のXVIII-XVIII線に沿った断面図である。
【図１９】図１７のXIX-XIX線に沿った断面図である。
【図２０】図１７の照明ユニットが開離位置にあるときの状態を示す要部断面図である。
【図２１】この発明の実施の形態５によるエレベータのかご照明装置を示す平面図である。
【図２２】図２１の照明ユニットが通常位置にあるときの状態を示す要部断面図である。
【図２３】図２２のXXIII-XXIII線に沿った断面図である。
【図２４】図２２の照明ユニットが開離位置にあるときの状態を示す要部断面図である。
【発明を実施するための形態】
【００１０】
実施の形態１．
図１は、この発明の実施の形態１によるエレベータを示す構成図である。また、図２は、図１のII-II線に沿った断面図である。図において、かご１は、図示しない巻上機（駆動装置）の駆動綱車に巻き掛けられた複数本の主索２により、昇降路内に吊り下げられている。主索２としては、例えばロープやベルト等が用いられている。かご１は、巻上機の駆動力により昇降路内を昇降される。また、かご１は、かご室３と、各主索２が接続され、かご室３を囲んだ状態でかご室３を支持するかご枠４とを有している。
【００１１】
かご枠４の下部には、図１に示すように、かご１の落下を阻止する非常止め装置５が設けられている。非常止め装置５は、かご１の昇降を案内するガイドレール（図示せず）を把持することにより、かご１に制動力を与え、かご１を停止させる。非常止め装置５は、例えば主索２が破断してかご２の落下速度が所定の過速度に達した場合等の非常時に動作する。
【００１２】
かご室３は、かご床（床部）３ａと、かご床３ａの上方に位置する天井パネル（天井部）３ｂと、かご室３の奥行き方向について互いに対向する正面パネル３ｃ及び背面パネル３ｄと、かご室３の幅方向について互いに対向する一対の側面パネル３ｅとを有している。
【００１３】
かご室３の正面パネル３ｃには、一対のかごドア６により開閉されるかご出入口７が設けられている。かご室３の天井パネル３ｂには、かご照明装置８が設けられている。かご室３内から見たときのかご照明装置８は、図２に示すように、天井パネル３ｂの外周部を除いて天井パネル３ｂの全面に配置されている。
【００１４】
図３は、図１のかご室３の上部を示す拡大図である。また、図４は、図３のかご照明装置８を示す一部破断斜視図である。さらに、図５は、図３のかご照明装置８の照明ユニット１１が下方へ変位した状態を示す側面図である。図において、かご照明装置８は、かご室３内の照明を行う照明ユニット１１と、照明ユニット１１を支持し、天井パネル３ｂに取り付けられた支持装置１２とを有している。
【００１５】
照明ユニット１１は、天井パネル３ｂから下方へ離れた開離位置（図５）と、開離位置よりも天井パネル３ｂに近い通常位置（図３）との間で変位可能になっている。また、照明ユニット１１は、複数の照明ランプ（光源）１３と、各照明ランプ１３をまとめて覆うとともに各照明ランプ１３を支持する照明枠１４とを有している。
【００１６】
照明枠１４は、図４に示すように、天井パネル３ｂに対向する矩形状のベース枠１５と、ベース枠１５内に水平に固定され、各照明ランプ１３を支持する複数の照明具取付梁１６と、ベース枠１５内の中間部に水平に固定され、各照明具取付梁１６を支持する中間梁１７と、ベース枠１５に固定され、複数の照明ランプ１３をまとめて覆うカバー枠１８とを有している。この例では、照明枠１４の形状が扁平の略直方体状とされている。ベース枠１５の上面には、照明ユニット１１が天井パネル３ｂに衝突したときの照明ユニット１１が受ける衝撃を緩和するゴム製の緩衝材１９が設けられている。
【００１７】
カバー枠１８の下面及び側面のそれぞれには、複数の開口部２０が設けられている。各開口部２０は、光を透過する照明板２１で塞がれている。照明板２１としては、例えばアクリル板等が用いられている。
【００１８】
各照明ランプ１３からの光は、照明板２１を通ってかご室３内へ照射される。これにより、かご室３内の照明が行われる。照明ランプ１３としては、例えば蛍光灯やＬＥＤ等が用いられている。
【００１９】
支持装置１２は、一対の天井取付部材２２を介して天井パネル３ｂに取り付けられている。一対の天井取付部材２２は、天井パネル３ｂに沿って平行に配置された断面Ｌ字状のアングル材である。また、各天井取付部材２２は、図３及び図５に示すように、複数の固定ボルト２３で天井パネル３ｂの下面に固定されている。
【００２０】
また、支持装置１２は、図４に示すように、各天井取付部材２２に個別に取り付けられた一対の支持機構部３１を有している。照明ユニット１１は、照明ユニット１１の両側部に配置された一対の支持機構部３１によって、開離位置（図５）と通常位置（図３）との間で変位可能に支持されている。
【００２１】
ここで、図６は、図４の支持機構部３１を示す拡大斜視図である。支持機構部３１は、天井パネル３ｂに対する照明ユニット１１の変位に連動するリンク装置３２と、リンク装置３２に連結され、照明ユニット１１を通常位置に弾性的に保持するばね付油圧ダンパ３３とを有している。
【００２２】
リンク装置３２は、天井パネル３ｂに対する照明ユニット１１の変位に応じて天井パネル３ｂに対して回動する一対の回動リンク（回動体）３４と、一対の回動リンク３４間に回動可能に連結され、一対の回動リンク３４の回動に応じて平行移動する水平リンク３５とを有している。
【００２３】
ベース枠１５には、各回動リンク３４に対応させて複数の軸受金具３６が取り付けられている。各回動リンク３４は、第１のリンク回動軸３７を介して天井取付部材２２に回動可能に取り付けられ、第２のリンク回動軸３８を介して軸受金具３６に回動可能に取り付けられている。各回動リンク３４は、第１のリンク回動軸３７を中心に回動されることにより天井パネル３ｂに対して回動され、第２のリンク回動軸３８を中心に回動されることにより照明ユニット１１に対して回動される。
【００２４】
各回動リンク３４は、第１のリンク回動軸３７及び第２のリンク回動軸３８間に連結された第１のリンク部３４ａと、第１のリンク部３４ａの長さ方向と異なる方向へ第１のリンク部３４ａの端部から突出する第２のリンク部３４ｂとを有している。回動リンク３４の形状は、第１のリンク部３４ａ及び第２のリンク部３４ｂにより略Ｌ字状になっている。水平リンク３５は、第３のリンク回動軸３９を介して第２のリンク部３４ｂの端部に回動可能に連結されている。第１〜第３のリンク回動軸３７〜３９は、水平にかつ互いに平行に配置されている。
【００２５】
ばね付油圧ダンパ３３は、天井パネル３ｂに対して傾斜した状態で、天井取付部材２２及び水平リンク３５間に回動可能に連結されている。ばね付油圧ダンパ３３は、第１のダンパ回動軸４０を介して天井取付部材２２に回動可能に取り付けられ、第２のダンパ回動軸４１を介して水平リンク３５の中間部に回動可能に取り付けられている。第１及び第２のダンパ回動軸４０，４１は、第１のリンク回動軸３７と平行に配置されている。
【００２６】
また、ばね付油圧ダンパ３３は、図３及び図５に示すように、天井取付部材２２及び水平リンク３５間に連結された油圧ダンパ（抵抗体）４２と、油圧ダンパ４２内に設けられた支持ばね（支持弾性体）４３とを有している。
【００２７】
油圧ダンパ４２は、油が充填されたシリンダ４２ａと、シリンダ４２ａ内で進退可能なピストン４２ｂと、ピストン４２ｂに固定されたシャフト４２ｃとを有している。第１のダンパ回動軸４０にはシリンダ４２ａが取り付けられ、第２のダンパ回動軸４１にはシャフト４２ｃが取り付けられている。これにより、ピストン４２ｂ及びシャフト４２ｃは、天井パネル３ｂに対する照明ユニット１１の変位に応じてシリンダ４２ａに対して進退する。油圧ダンパ４２は、ピストン４２ｂがシリンダ４２ａ内の油から抵抗力を受けることにより、回動リンク３４の回動に対して抵抗力を発生する。
【００２８】
油圧ダンパ４２内の支持ばね４３は、照明ユニット１１の開離位置への変位に逆らう弾性復元力を発生する。照明ユニット１１は、支持ばね４３の弾性復元力により通常位置に弾性的に保持される。照明ユニット１１が通常位置にあるときの支持ばね４３の弾性復元力の大きさは、照明ユニット１１の重量よりも３倍程度の大きさに設定されている。これにより、エレベータの通常運転時には、照明ユニット１１が通常位置に保持される。
【００２９】
次に、かご照明装置８の取付方法について説明する。エレベータの改修工事が行われる場合、既設のかご１をそのまま残しておき、既設のかご照明装置を新規のかご照明装置８に変更する工事を行うことがある。
【００３０】
既設のかご照明装置を新規のかご照明装置８に変更するときには、まず、既設の固定ボルトを外すことにより既設のかご照明装置を天井パネル３ｂから取り外す。
【００３１】
図７は、図６のかご照明装置８をかご１内に取り付けるときの状態を示す図６のVII-VII線に沿った断面図である。作業者４５は、既設のかご照明装置を天井パネル３ｂから取り外した後、新規のかご照明装置８を支えながら、新規のかご照明装置８に予め取り付けておいた一対の天井取付部材２２を天井パネル３ｂの下面に沿って配置する。このとき、照明板２１は、カバー枠１８から外しておく。
【００３２】
この後、既設の固定ボルトが通されていた天井パネル３ｂのねじ通し穴を利用して、例えばソケットレンチやスパナ等の工具４６で固定ボルト２３を締め付け、天井パネル３ｂに各天井取付部材２２を固定する。この後、照明板２１をカバー枠１８に取り付ける。このようにして、新規のかご照明装置８を天井パネル３ｂに取り付ける。
【００３３】
次に、動作について説明する。エレベータの通常運転時には、ばね付油圧ダンパ３３の支持ばね４３の弾性復元力により、照明ユニット１１が通常位置（図３）に保持されている。通常運転時のかご１には、かご１の移動により慣性力が作用するが、通常運転時にかご１が受ける慣性力よりも支持ばね４３の弾性復元力が十分大きく設定されているので、照明ユニット１１が開離位置へ変位されることはない。
【００３４】
例えばかご１の下降速度が異常に上昇して非常止め装置５が動作すること等により、かご１が急停止した場合、かご１及び照明ユニット１１には、下方への大きな慣性力が加わる。照明ユニット１１に加わる慣性力が支持ばね４３の弾性復元力に打ち勝つと、照明ユニット１１は、支持ばね４３の弾性復元力に逆らって、油圧ダンパ４２の抵抗力を受けながら、通常位置から開離位置（図５）へ変位される。このとき、支持ばね４３は、照明ユニット１１への衝撃を吸収しながら弾性変形される。
【００３５】
この後、かご１が停止すると、照明ユニット１１に加わる慣性力が消滅し、照明ユニット１１が、油圧ダンパ４２の抵抗力を受けながら、支持ばね４３の弾性復元力により開離位置から通常位置（図３）へ変位される。
【００３６】
このようなエレベータのかご照明装置８では、照明ユニット１１が開離位置と通常位置との間で変位可能に支持装置１２により支持され、照明ユニット１１の開離位置への変位に逆らう弾性復元力を発生する支持ばね４３が支持装置１２に含まれているので、かご１の急停止による大きな慣性力がかご照明装置８に加わった場合であっても、支持ばね４３の弾性変形により照明ユニット１１への衝撃を吸収することができ、照明ユニット１１が受ける衝撃の大きさを小さくすることができる。これにより、かご１の急停止による衝撃で照明ユニット１１が落下したり破損したりしにくくなり、照明ユニット１１の落下や破損の防止を図ることができる。また、照明ユニット１１が支持装置１２を介して天井パネル３ｂに取り付けられているので、支持装置１２を天井パネル３ｂに取り付けるだけで、かご照明装置８をかご１内に設置することができる。これにより、例えばエレベータの改修工事の際に、かご１に対する新規のかご照明装置８の設置作業を容易にすることができる。
【００３７】
また、支持装置１２は、支持ばね４３に加えて、照明ユニット１１の変位に応じて天井パネル３ｂに対して回動する回動リンク３４と、回動リンク３４の回動に対して抵抗力を発生する油圧ダンパ４２とを有しているので、回動リンク３４によって照明ユニット１１の横振れを抑制することができる。また、照明ユニット１１に油圧ダンパ４２で抵抗力を与えながら、照明ユニット１１を変位させることができ、照明ユニット１１に必要以上の加速が生じることを抑制することができる。これにより、照明ユニット１１に生じる振動の増幅を抑制することができるとともに、照明ユニット１１に振動が発生した場合であっても、照明ユニット１１の振動を早期に減衰させることができる。従って、照明ユニット１１の落下や破損の防止をさらに図ることができる。
【００３８】
また、回動リンク３４の回動に抵抗力を与える抵抗体として油圧ダンパ４２が用いられているので、容易に入手可能な抵抗体を用いることができ、コストの低減化を図ることができる。
【００３９】
なお、上記の例では、ばね付油圧ダンパ３３が天井取付部材２２及び水平リンク３５間に連結されているが、天井取付部材２２及び回動リンク３４間にばね付油圧ダンパ３３を連結してもよい。天井取付部材２２及び回動リンク３４間にばね付油圧ダンパ３３を連結する場合、水平リンク３５はなくてもよい。
【００４０】
また、上記の例では、油圧ダンパ４２及び支持ばね４３が一体（ばね付油圧ダンパ３３）となっているが、油圧ダンパ４２及び支持ばね４３を別体としてもよい。この場合、油圧ダンパ４２及び支持ばね４３は、天井取付部材２２及び水平リンク３５間、天井取付部材２２及び回動リンク３４間のうち、いずれに連結してもよい。
【００４１】
実施の形態２．
図８は、この発明の実施の形態２によるエレベータのかご照明装置を示す平面図である。また、図９は図８の照明ユニット１１が通常位置にあるときの状態を示す要部断面図、図１０は図９のX-X線に沿った断面図である。さらに、図１１は、図９の照明ユニット１１が開離位置にあるときの状態を示す要部断面図である。また、図１２は、図８の支持装置１２を下方から見たときの状態を示す要部斜視図である。図において、天井パネル３ｂの下面には、取付パネル５１と複数（この例では、４つ）のフック５２とが固定されている。この例では、図８に示すように、取付パネル５１が天井パネル３ｂの中央部を通るように配置され、各フック５２が天井パネル３ｂの四隅の部分にそれぞれ配置されている。
【００４２】
取付パネル５１は、複数（この例では、２つ）の固定ボルト５３で天井パネル３ｂに固定されている。取付パネル５１には、取付パネル５１からそれぞれ下方へ突出する回動軸５４及び軸支持台５９が互いに離して取り付けられている。これにより、回動軸５４は、天井パネル３ｂに上下方向に沿って設けられている。この例では、図８に示すように、回動軸５４が天井パネル３ｂの中央部に配置され、軸支持台５９が回動軸５４よりも天井パネル３ｂの外周部に近い位置に配置されている。
【００４３】
かご照明装置８は、照明ユニット１１と、天井パネル３ｂに取り付けられ、照明ユニット１１を支持する支持装置１２とを有している。照明ユニット１１の構成は、実施の形態１における照明ユニット１１と同様の構成とされている。
【００４４】
支持装置１２は、天井パネル３ｂから下方へ離れた開離位置（図１１）と、開離位置よりも天井パネル３ｂに近い通常位置（図９）との間で変位可能に照明ユニット１１を支持する。また、支持装置１２は、回動軸５４を中心に回動可能な回動車（回動体）５５と、共通の回動車５５に接続され、照明ユニット１１を吊り下げる複数（この例では、４本）の吊り索５６と、回動車５５及び軸支持台５９間に回動可能に連結されたばね付油圧ダンパ５７とを有している。
【００４５】
回動車５５は、回動軸５４に設けられたボス５５ａと、ボス５５ａから放射状に突出する複数（この例では、４本）のアーム５５ｂとを有している。各アーム５５ｂには、吊り索５６が個別に接続されている。
【００４６】
各吊り索５６は、対応するフック５２に掛けられている。各吊り索５６は、図９及び図１１に示すように、アーム５５ｂから、フック５２に掛けられた後、カバー枠１８に固定された止め具に接続されている。これにより、各吊り索５６は、回動車５５とフック５２との間で水平に張られ、フック５２とカバー枠１８との間で上下に張られている。また、各吊り索５６は、フック５２に掛けられることにより、照明ユニット１１の四隅で照明ユニット１１を吊り下げている。吊り索５６としては、例えばワイヤやロープ等が用いられている。
【００４７】
各吊り索５６の中間部には、複数の吊り索５６のそれぞれの張力の大きさを平準化する調整ばね（張力調整用弾性体）５８が設けられている。調整ばね５８は、吊り索５６のフック５２よりも回動車５５に近い部分に設けられている。照明ユニット１１は、回動車５５が回動軸５４を中心に回動されることにより上下動されて、開離位置と通常位置との間を変位される。
【００４８】
ばね付油圧ダンパ５７は、図１２に示すように、第１のダンパ回動軸４０を介して軸支持台５９に回動可能に取り付けられ、第２のダンパ回動軸４１を介して回動車５５の１つのアーム５５ｂの端部に回動可能に取り付けられている。第１及び第２のダンパ回動軸４０，４１は、回動車５５の回動軸５４と平行に配置されている。
【００４９】
また、ばね付油圧ダンパ５７の構成は、実施の形態１におけるばね付油圧ダンパ３３と同様の構成とされている。即ち、ばね付油圧ダンパ５７は、油圧ダンパ（抵抗体）と、油圧ダンパ内に設けられた支持ばね（支持弾性体）とを有している。この例では、油圧ダンパのシリンダが第１のダンパ回動軸４０を介して軸支持台５９に取り付けられ、油圧ダンパのシャフトが第２のダンパ回動軸４１を介して回動車５５のアーム５５ｂに取り付けられている。
【００５０】
照明ユニット１１は、ばね付油圧ダンパ５７が伸びる方向へ回動車５５が回動されることにより通常位置から開離位置へ変位され、ばね付油圧ダンパ５７が縮む方向へ回動車５５が回動されることにより開離位置から通常位置へ変位される。ばね付油圧ダンパ５７の支持ばねは、照明ユニット１１が開離位置へ変位される方向への回動車５５の回動に逆らう弾性復元力を発生する。照明ユニット１１は、ばね付油圧ダンパの支持ばねの弾性復元力により通常位置に弾性的に保持されている。照明ユニット１１が通常位置にあるときのばね付油圧ダンパ５７の支持ばねの弾性復元力の大きさは、照明ユニット１１の重量よりも３倍程度の大きさに設定されている。これにより、エレベータの通常運転時には、照明ユニット１１が通常位置に保持される。油圧ダンパは、ピストンがシリンダ内の油から抵抗力を受けることにより、回動車５５の回動に対する抵抗力を発生する。
【００５１】
フック５２は、図９〜図１１に示すように、天井パネル３ｂに固定された固定金具６１と、固定金具６１に溶接等により固定され、吊り索５６を受ける受け金具６２とを有している。固定金具６１は、フック用固定ボルト６３により天井パネル３ｂに固定されている。他の構成は実施の形態１と同様である。
【００５２】
次に、かご照明装置８の取付方法について説明する。既設のかご照明装置を新規のかご照明装置８に変更するときには、まず、実施の形態１と同様に、既存のかご照明装置を天井パネル３ｂから取り外す。
【００５３】
この後、各フック５２を天井パネル３ｂの四隅に固定する。この後、新規のかご照明装置８を支えながら、実施の形態１と同様に、工具４６を用いて固定ボルト５３を締め付け、新規のかご照明装置８に予め取り付けておいた取付パネル５１を天井パネル３ｂの下面に固定する。この後、新規のかご照明装置８を支えた状態で、各吊り索５６を、対応するフック５２に掛ける。このようにして、新規のかご照明装置８を天井パネル３ｂに取り付ける。
【００５４】
次に、動作について説明する。エレベータの通常運転時には、ばね付油圧ダンパ５７の支持ばねの弾性復元力により、照明ユニット１１が通常位置（図９）に保持されている。
【００５５】
例えば、かご１の下降速度が異常に上昇して非常止め装置５が動作した場合、かご１及び照明ユニット１１には、下方への大きな慣性力が加わる。照明ユニット１１に加わる慣性力がばね付油圧ダンパ５７の支持ばねの弾性復元力に打ち勝つと、照明ユニット１１は、ばね付油圧ダンパ５７が伸びる方向へ回動軸５４を中心に回動車５５を回動させることにより、ばね付油圧ダンパ５７の油圧ダンパから抵抗力を受けながら、ばね付油圧ダンパ５７の支持ばねの弾性復元力に逆らって、開離位置（図１１）へ吊り索５６とともに引き下げられる。このとき、ばね付油圧ダンパ５７の支持ばねは、照明ユニット１１への衝撃を吸収しながら弾性変形する。
【００５６】
この後、かご１が停止すると、照明ユニット１１は、実施の形態１と同様に、油圧ダンパの抵抗力を受けながら、ばね付油圧ダンパの支持ばねの弾性復元力により開離位置から通常位置へ変位される。
【００５７】
このようなエレベータのかご照明装置８では、天井パネル３ｂに上下方向に沿って設けられた共通の回動車５５に、照明ユニット１１を吊り下げる複数の吊り索５６が接続されているので、照明ユニット１１を支持する構造を簡単にすることができ、照明ユニット１１を支持する支持装置１２を破損しにくくすることができる。また、回動車５５の回動に対してばね付油圧ダンパ５７による抵抗力が加わるので、共通の回動車５５の回動に対して抵抗力を加えるだけで各吊り索５６のすべてに抵抗力を加えることができる。これにより、ばね付油圧ダンパ５７の数を減らすことができ、構造の簡素化及び低コスト化を図ることができる。さらに、照明ユニット１１を吊り索５６によって吊り下げるようにしたので、支持装置１２の高さ寸法を小さくすることができ、かご照明装置８の厚さを薄くすることができる。
【００５８】
また、各吊り索５６には、複数の吊り索５６のそれぞれの張力の大きさを平準化する調整ばね５８が設けられているので、照明ユニット１１を円滑に変位させることができるとともに、各吊り索５６が受ける負担を均等化することができ、各吊り索５６の長寿命化を図ることができる。
【００５９】
なお、上記の例では、油圧ダンパ及び支持ばねが一体となっているが、油圧ダンパ及び支持ばねを別体としてもよい。また、油圧ダンパ及び支持ばねを別体とした場合、回動車５５の複数のアーム５５ｂのうち、互いに異なるアーム５５ｂに油圧ダンパ及び支持ばねを個別に接続してもよい。
【００６０】
また、上記の例では、回動車５５の回動に抵抗力を与える抵抗体として油圧ダンパが用いられているが、回動車５５のボスａに接触させた摩擦材を抵抗体として用いてもよい。このようにしても、簡単な構成で回動車５５の回動に抵抗力を与えることができる。
【００６１】
実施の形態３．
図１３は、この発明の実施の形態３によるエレベータのかご照明装置８を示す平面図である。また、図１４は図１３の照明ユニット１１が通常位置にあるときの状態を示す要部断面図、図１５は図１４の照明ユニット１１が開離位置にあるときの状態を示す要部断面図である。図において、天井パネル３ｂの四隅の部分には、保持具７１がそれぞれ固定されている。各保持具７１は、天井パネル３ｂを上下方向に沿って貫通するねじ棒と、ねじ棒に螺合され、天井パネル３ｂに係合する複数のナットとを有している。保持具７１は、ねじ棒に螺合されたナットが天井パネル３ｂに係合することにより、天井パネル３ｂに保持されている。保持具７１のねじ棒の下端部には、掛け穴が設けられている。
【００６２】
カバー枠１８には、複数（この例では、４つ）の止め具７２が固定されている。各止め具７２は、保持具７１の位置に合わせて各保持具７１の下方に配置されている。
【００６３】
かご照明装置８は、照明ユニット１１と、天井パネル３ｂに取り付けられ、照明ユニット１１を支持する支持装置１２とを有している。照明ユニット１１の構成は、実施の形態１における照明ユニット１１と同様の構成とされている。
【００６４】
支持装置１２は、天井パネル３ｂから下方へ離れた開離位置（図１５）と、開離位置よりも天井パネル３ｂに近い通常位置（図１４）との間で変位可能に照明ユニット１１を支持する。また、支持装置１２は、照明ユニット１１を弾性的に支持する支持ばね（支持弾性体）７３と、照明ユニット１１の横振れを抑制するための横振れ抑制装置７４とを有している。
【００６５】
支持ばね７３は、ねじ棒の掛け穴に通されて保持具７１に掛けられることにより天井パネル３ｂに保持され、止め具７２に掛けられることによりカバー枠１８に接続されている。また、支持ばね７３は、天井パネル３ｂに保持されるとともにカバー枠１８に接続されることにより、照明ユニット１１を吊り下げている。照明ユニット１１は、支持ばね７３が伸縮することにより、開離位置と通常位置との間で変位される。天井パネル３ｂに対する照明ユニット１１の変位は、上下方向だけでなく、水平方向へも許容される。
【００６６】
横振れ抑制装置７４は、天井パネル３ｂから下方へ突出するロッド（突出部材）７５と、照明ユニット１１に設けられ、水平方向についてロッド７５に対向する複数の抑制板（対向部材）７６と、抑制板７６の外周部に設けられたゴム製の緩衝材７７とを有している。ロッド７５及び抑制板７６は、金属及び樹脂のいずれで構成されていてもよい。
【００６７】
ロッド７５は、図１３に示すように、天井パネル３ｂの中央に配置されている。また、ロッド７５は、ナットで天井パネル３ｂに固定されている。さらに、ロッド７５は、水平方向への力を受けると弾性変形可能になっている。
【００６８】
各抑制板７６は、図１４及び図１５に示すように、照明具取付梁１６に水平に固定されている。従って、各抑制板７６は、照明ユニット１１と一体に変位される。また、各抑制板７６は、水平方向について互いに離れて配置され、ロッド７５を挟んで互いに対向している。照明ユニット１１は、ロッド７５に各抑制板７６を水平方向について常時対向させた状態で、開離位置と通常位置との間で変位される。抑制板７６は、照明ユニット１１の横振れが大きくなると、緩衝材７７を介してロッド７５に衝突する。天井パネル３ｂに対する照明ユニット１１の変位は、抑制板７６がロッド７５に衝突することにより、水平方向について規制される。これにより、照明ユニット１１の横振れが抑制される。
【００６９】
緩衝材７７は、抑制板７６の外周部を囲んだ状態で抑制板７６に取り付けられている。また、緩衝材７７は、抑制板７６がロッド７５に衝突したときに抑制板７６とロッド７５との間で弾性変形することにより、抑制板７６が受ける衝撃を吸収する。他の構成は実施の形態１と同様である。
【００７０】
次に、かご照明装置８の取付方法について説明する。既設のかご照明装置を新規のかご照明装置８に変更するときには、まず、実施の形態１と同様に、既存のかご照明装置を天井パネル３ｂから取り外す。
【００７１】
この後、保持具７１を天井パネル３ｂの四隅に固定するとともに、ロッド７５を天井パネル３ｂの中央に固定する。また、新規のかご照明装置８の照明具取付梁１６には各抑制板７６を予め固定し、カバー枠１８には止め具７２を予め固定しておく。照明板２１は、カバー枠１８から外しておく。
【００７２】
この後、各抑制板７６間の空間にロッド７５を通した状態で、新規の照明ユニット１１を複数の支持ばね７３で吊り下げる。この後、照明板２１をカバー枠１８に取り付ける。このようにして、新規のかご照明装置８を天井パネル３ｂに取り付ける。
【００７３】
次に、動作について説明する。エレベータの通常運転時には、図１４に示すように、支持ばね７３の弾性復元力により、照明ユニット１１が通常位置に保持されている。
【００７４】
例えば、かご１の下降速度が異常に上昇して非常止め装置５が動作した場合、かご１及び照明ユニット１１には、下方への大きな慣性力が加わる。照明ユニット１１に加わる慣性力が支持ばね７３の弾性復元力に打ち勝つと、照明ユニット１１は、支持ばね７３の弾性復元力に逆らって支持ばね７３を伸ばしながら、下方の開離位置（図１５）へ変位される。このとき、支持ばね７３は、照明ユニット１１への衝撃を吸収しながら弾性変形する。
【００７５】
この後、かご１が停止すると、照明ユニット１１に加わる慣性力が消滅し、照明ユニット１１が支持ばね７３の弾性復元力により上下方向及び水平方向へ変位される。照明ユニット１１の横振れが大きくなると、抑制板７６が緩衝材７７を介してロッド７５に衝突し、照明ユニット１１の横振れが抑制される。抑制板７６がロッド７５に衝突したときの照明ユニット１１への衝撃は、緩衝材７７により吸収される。
【００７６】
このようなエレベータのかご照明装置８では、天井パネル３ｂに保持された支持ばね７３で照明ユニット１１が吊り下げられているので、照明ユニット１１を支持する構造をさらに簡単にすることができ、コストの低減化を図ることができるとともに、かご照明装置８の取付作業をさらに容易にすることができる。また、照明ユニット１１を支持ばね７３で吊り下げるようにしたので、支持装置１２の高さ寸法を小さくすることができ、かご照明装置８の厚さを薄くすることができる。
【００７７】
また、天井パネル３ｂからロッド７５が下方へ突出し、水平方向についてロッド７５に対向する抑制板７６が照明ユニット１１に設けられているので、照明ユニット１１の横振れが生じても、抑制板７６をロッド７５に衝突させることにより、照明ユニット１１の横振れの増大を抑制することができる。これにより、簡単な構造で照明ユニット１１の落下や破損の防止を図ることができる。
【００７８】
また、抑制板７６の縁部には、抑制板７６がロッド７５に衝突したときにロッド７５と抑制板７６との間で弾性変形する緩衝材７７が設けられているので、抑制板７６がロッド７５に衝突したときの照明ユニット１１への衝撃を緩衝材７７で吸収することができ、照明ユニット１１の落下や破損の防止をさらに図ることができる。
【００７９】
なお、上記の例では、天井パネル３ｂから下方へ突出する突出部材として棒状のロッド７５が用いられているが、水平方向について抑制板７６と対向していれば、突出部材が棒状になっていなくてもよい。例えば、水平方向について抑制板７６と対向させた状態で天井パネル３ｂに固定した板を突出部材としてもよい。
【００８０】
実施の形態４．
図１６は、この発明の実施の形態４によるエレベータのかご照明装置を示す平面図である。また、図１７は、図１６の照明ユニット１１が通常位置にあるときの状態を示す要部断面図である。さらに、図１８は図１７のXVIII-XVIII線に沿った断面図、図１９は図１７のXIX-XIX線に沿った断面図である。また、図２０は、図１７の照明ユニット１１が開離位置にあるときの状態を示す要部断面図である。図において、天井パネル３ｂの下面には、水平方向について互いに離して配置された一対の取付パネル８１が固定ボルト５３により固定されている。各取付パネル８１の長さ方向中央部には保持具８２が固定され、各取付パネル８１の長さ方向両端部には一対のフック５２が固定されている。
【００８１】
支持装置１２は、各取付パネル８１に個別に取り付けられた一対の支持機構部３１を有している。照明ユニット１１は、一対の支持機構部３１によって、開離位置（図２０）と通常位置（図１７）との間で変位可能に支持されている。
【００８２】
支持機構部３１は、照明ユニット１１を吊り下げる一対の吊り索５６と、各吊り索５６と共通の保持具８２とを繋ぐ支持ばね（支持弾性体）８３と、吊り索５６の変位に対する抵抗力を発生する摺動抵抗装置８５とを有している。
【００８３】
各吊り索５６は、対応するフック５２に掛けられている。各吊り索５６は、図１７及び図２０に示すように、保持具８２に保持された支持ばね８３に接続された端部から、フック５２に掛けられた後、カバー枠１８に固定された止め具８４に接続されている。これにより、各吊り索５６は、支持ばね８３とフック５２との間で水平に張られ、フック５２とカバー枠１８との間で上下に張られている。吊り索５６としては、例えばワイヤやロープ等が用いられている。照明ユニット１１は、対応するフック５２に掛けられた各吊り索５６により、照明ユニット１１の四隅で吊り下げられている。
【００８４】
支持ばね８３は、保持具８２に接続されることにより天井パネル３ｂに保持されている。また、支持ばね８３は、照明ユニット１１を吊り下げる吊り索５６に接続されることにより、照明ユニット１１の開離位置への変位に逆らう弾性復元力を発生する。支持ばね８３は、吊り索５６に引かれることにより水平に配置されている。照明ユニット１１は、支持ばね８３の弾性復元力により通常位置に弾性的に保持されている。支持ばね８３は、照明ユニット１１の通常位置から開離位置への変位より伸び、照明ユニット１１の開離位置から通常位置への変位により縮む。照明ユニット１１が通常位置にあるときの支持ばね８３の弾性復元力の大きさは、照明ユニット１１の重量よりも３倍程度の大きさに設定されている。これにより、エレベータの通常運転時には、照明ユニット１１が通常位置に保持される。
【００８５】
フック５２は、図１８に示すように、取付パネル８１に固定された固定金具６１と、固定金具６１に溶接等により固定され、吊り索５６を受ける受け金具６２とを有している。
【００８６】
摺動抵抗装置８５は、フック５２よりも支持ばね８３に近い位置に配置されている。また、摺動抵抗装置８５は、図１９に示すように、固定金具６１との間で吊り索５６を挟む挟み金具（挟み部材）８６と、固定金具６１及び挟み金具８６にそれぞれ取り付けられ、固定金具６１と挟み金具８６との間で吊り索５６に接触する一対の摩擦材（抵抗体）８７と、挟み金具８６を固定金具６１に押圧する締結力を発生する締結ボルト（締結具）８８とを有している。摺動抵抗装置８５では、各摩擦材８７に対して吊り索５６が摺動するときの摩擦力が、吊り索５６の変位に対する抵抗力となる。吊り索５６の変位に対する摩擦材８７の抵抗力の大きさは、締結ボルト８８による締結力の調整により調整される。他の構成は実施の形態１と同様である。
【００８７】
次に、かご照明装置８の取付方法について説明する。既設のかご照明装置を新規のかご照明装置８に変更するときには、まず、実施の形態１と同様に、既存のかご照明装置を天井パネル３ｂから取り外す。
【００８８】
新規のかご照明装置８における一対の支持機構部３１には、取付パネル８１をそれぞれ予め取り付けておく。取付パネル８１の取り付けは、取付パネル８１に保持具８２及びフック５２を固定した後、支持ばね８３を介して保持具８２に繋いだ吊り索５６をフック５２に掛けるとともに吊り索５６をカバー枠１８に接続し、固定金具６１に摺動抵抗装置８５を取り付けることにより行う。また、照明板２１は、新規のかご照明装置８のカバー枠１８から予め外しておく。
【００８９】
既存のかご照明装置を天井パネル３ｂから取り外した後、新規のかご照明装置８を支えながら、固定ボルト５３を締め付けることにより、かご照明装置８に取り付けられた取付パネル８１を天井パネル３ｂの下面に固定する。この後、照明板２１をカバー枠１８に取り付ける。このようにして、新規のかご照明装置８を天井パネル３ｂに取り付ける。
【００９０】
次に、動作について説明する。エレベータの通常運転時には、支持ばね８３の弾性復元力により、照明ユニット１１が通常位置（図１７）に保持されている。
【００９１】
例えば非常止め装置５の動作により、照明ユニット１１に加わる慣性力が支持ばね８３の弾性復元力に打ち勝つと、照明ユニット１１は、摩擦材８７の抵抗力を受けるとともに、支持ばね８３の弾性復元力に逆らって支持ばね８３を伸ばしながら、開離位置（図２０）へ変位される。このとき、支持ばね８３は、照明ユニット１１への衝撃を吸収しながら弾性変形する。
【００９２】
この後、かご１が停止すると、照明ユニット１１は、摩擦材８７の抵抗力を受けながら、支持ばね８３の弾性復元力により開離位置から通常位置へ変位される。
【００９３】
このように、支持ばね８３に接続された吊り索５６で照明ユニット１１を吊り下げるようにしても、支持ばね８３により照明ユニット１１への衝撃を吸収することができ、照明ユニット１１が受ける衝撃の大きさを小さくすることができる。これにより、かご１の急停止による衝撃で照明ユニット１１が落下したり破損したりしにくくなり、照明ユニット１１の落下や破損の防止を図ることができる。また、照明ユニット１１に摩擦材８７で抵抗力を与えながら、照明ユニット１１を変位させるので、照明ユニット１１に必要以上の加速が生じることを抑制することができる。これにより、照明ユニット１１の落下や破損の防止をさらに図ることができる。さらに、照明ユニット１１を吊り索５６によって吊り下げるようにしたので、支持装置１２の高さ寸法を小さくすることができ、かご照明装置８の厚さを薄くすることができる。
【００９４】
実施の形態５．
図２１は、この発明の実施の形態５によるエレベータのかご照明装置を示す平面図である。また、図２２は、図２１の照明ユニット１１が通常位置にあるときの状態を示す要部断面図である。図２３は、図２２のXXIII-XXIII線に沿った断面図である。さらに、図２４は、図２２の照明ユニット１１が開離位置にあるときの状態を示す要部断面図である。図において、天井パネル３ｂの下面には、水平方向について互いに離して配置された一対の取付パネル９１が固定ボルト５３により固定されている。各取付パネル９１の長さ方向中央部には保持具９２が固定され、各取付パネル９１の長さ方向両端部には一対の第１の軸受金具９３が固定されている。照明ユニット１１のカバー枠１８には、第１の軸受金具９３に対応する複数（この例では、４つ）の第２の軸受金具９４が固定されている。
【００９５】
支持装置１２は、各取付パネル９１に個別に取り付けられた一対の支持機構部３１を有している。照明ユニット１１は、一対の支持機構部３１によって、開離位置（図２０）と通常位置（図１７）との間で変位可能に支持されている。
【００９６】
支持機構部３１は、第１及び第２の軸受金具９３，９４間に連結され天井パネル３ｂに対する照明ユニット１１の変位に連動する一対のリンク装置９５と、リンク装置９５と共通の保持具９２とを繋ぐ支持ばね（支持弾性体）８３と、第１の軸受金具９３に支持され、リンク装置９５に接触する皿ばね座金（抵抗体）９６とを有している。
【００９７】
リンク装置９５は、第１の軸受金具９３に回動可能に取り付けられた回動リンク（回動体）９７と、回動リンク９７及び第２の軸受金具９４間に回動可能に連結された連結リンク９８とを有している。
【００９８】
回動リンク９７は、第１の軸受金具９３を水平に貫通する取付ボルト９９と、取付ボルト９９に螺合された締結ナット１００とにより、第１の軸受金具９３に取り付けられている。また、回動リンク９７は、取付ボルト９９を中心に回動可能になっている。即ち、取付ボルト９９は、回動リンク９７の回動軸となっている。
【００９９】
また、回動リンク９７は、取付ボルト９９から互いに異なる方向へ突出する第１のリンク部９７ａ及び第２のリンク部９７ｂを有している。この例では、第１のリンク部９７ａの長さが第２のリンク部９７ｂの長さよりも短くなっている。回動リンク９７の形状は、第１のリンク部９７ａ及び第２のリンク部９７ｂにより略Ｌ字状になっている。
【０１００】
連結リンク９８は、第２のリンク部９７ｂ及び第２の軸受金具９４間に連結されている。連結リンク９８の一端部は第１のリンク回動軸１０１を介して第２のリンク部９７ｂの端部に回動可能に連結され、連結リンク９８の他端部は第２のリンク回動軸１０２を介して第２の軸受金具９４に回動可能に連結されている。取付ボルト９９、第１のリンク回動軸１０１及び第２のリンク回動軸１０２は、水平にかつ互いに平行に配置されている。これにより、回動リンク９７は、天井パネル３ｂに対する照明ユニット１１の変位に応じて天井パネル３ｂに対して回動される。
【０１０１】
支持ばね８３の一端部は、保持具９２に接続されている。これにより、支持ばね８３は、天井パネル３ｂに保持されている。支持ばね８３の他端部は、回動リンク９７の第１のリンク部９７ａに接続されている。これにより、支持ばね８３は、照明ユニット１１の開離位置への変位に逆らう弾性復元力を発生する。支持ばね８３は、保持具９２と回動リンク９７との間で水平に配置されている。照明ユニット１１は、支持ばね８３の弾性復元力により通常位置に弾性的に保持されている。支持ばね８３は、照明ユニット１１の通常位置から開離位置への変位により伸び、照明ユニット１１の開離位置から通常位置への変位により縮む。照明ユニット１１が通常位置にあるときの支持ばね８３の弾性復元力の大きさは、照明ユニット１１の重量よりも３倍程度の大きさに設定されている。これにより、エレベータの通常運転時には、照明ユニット１１が通常位置に保持される。
【０１０２】
皿ばね座金９６は、回動リンク９７に接触することにより回動リンク９７の回動に対する抵抗力を発生する。また、皿ばね座金９６は、湾曲板状に形成された金属製の摩擦材である。さらに、皿ばね座金９６は、図２３に示すように、取付ボルト９９と締結ナット１００との間で締め付けられて回動リンク９７に押圧された状態で回動リンク９７に接触している。回動リンク９７は、皿ばね座金９６に対して摺動しながら、取付ボルト９９を中心に回動する。即ち、回動リンク９７は、回動リンク９７と皿ばね座金９６との間に発生する摩擦力を抵抗力として受けながら、取付ボルト９９を中心に回動する。回動リンク９７の回動に対する皿ばね座金９６の抵抗力の大きさは、取付ボルト９９及び締結ナット１００による締結力の調整により調整される。他の構成は実施の形態１と同様である。
【０１０３】
新規のかご照明装置８は、既存のかご照明装置を天井パネル３ｂから取り外した後、新規のかご照明装置８を支えながら、かご照明装置８に予め取り付けておいた取付パネル９１を天井パネル３ｂの下面に固定することにより、かご１内に取り付けられる。
【０１０４】
次に、動作について説明する。エレベータの通常運転時には、支持ばね８３の弾性復元力により、照明ユニット１１が通常位置（図２２）に保持されている。
【０１０５】
例えば非常止め装置５の動作により、照明ユニット１１に加わる慣性力が支持ばね８３の弾性復元力に打ち勝つと、照明ユニット１１は、皿ばね座金９６の抵抗力を受けながら支持ばね８３の弾性復元力に逆らって支持ばね８３を伸ばす方向へ回動リンク９７を回動させて、開離位置（図２４）へ変位される。このとき、支持ばね８３は、照明ユニット１１への衝撃を吸収しながら弾性変形する。
【０１０６】
この後、かご１が停止すると、照明ユニット１１は、皿ばね座金９６の抵抗力を受けながら、支持ばね８３の弾性復元力により開離位置から通常位置へ変位される。
【０１０７】
このように、皿ばね座金９６を回動リンク９７に接触させて、抵抗力を回動リンク９７に与えるようにしても、照明ユニット１１に必要以上の加速が生じることを抑制することができる。これにより、照明ユニット１１の落下や破損の防止をさらに図ることができる。
【０１０８】
なお、上記の例では、皿ばね座金（摩擦材）９６を回動リンク９７に接触させることにより、回動リンク９７に対する抵抗力を発生するようになっているが、回動リンク９７及び取付パネル９１間に油圧ダンパを連結することにより、回動リンク９７に対する抵抗力を発生させるようにしてもよい。
【０１０９】
また、実施の形態１における回動リンク３４及び実施の形態２における回動車５５に、本実施の形態の皿ばね座金９６を接触させて、回動リンク３４の回動及び回動車５５の回動に対する抵抗力を発生させるようにしてもよい。
【０１１０】
また、各上記実施の形態では、エレベータの改修工事で既存のかご１内に設置される新規のかご照明装置にこの発明が適用されているが、エレベータの新設時にかご１内に設置されるかご照明装置にこの発明を適用してもよい。
【符号の説明】
【０１１１】
１  かご、３ｂ  天井パネル（天井部）、８  かご照明装置、１１  照明ユニット、１２  支持装置、３４  回動リンク（回動体）、４２  油圧ダンパ（抵抗体）、４３,７３，８３  支持ばね（支持弾性体）、５５  回動車（回動体）、５６  吊り索、５８  調整ばね（張力調整用弾性体）、７４  横振れ抑制装置、７５  ロッド（突出部材）、７６  抑制板（対向部材）、８７  摩擦材（抵抗体）、９６  皿ばね座金（抵抗体）９７  回動リンク（回動体）。
【図１】
2013241236.tif 000003
【図２】
2013241236.tif 000004
【図３】
2013241236.tif 000005
【図４】
2013241236.tif 000006
【図５】
2013241236.tif 000007
【図６】
2013241236.tif 000008
【図７】
2013241236.tif 000009
【図８】
2013241236.tif 000010
【図９】
2013241236.tif 000011
【図１０】
2013241236.tif 000012
【図１１】
2013241236.tif 000013
【図１２】
2013241236.tif 000014
【図１３】
2013241236.tif 000015
【図１４】
2013241236.tif 000016
【図１５】
2013241236.tif 000017
【図１６】
2013241236.tif 000018
【図１７】
2013241236.tif 000019
【図１８】
2013241236.tif 000020
【図１９】
2013241236.tif 000021
【図２０】
2013241236.tif 000022
【図２１】
2013241236.tif 000023
【図２２】
2013241236.tif 000024
【図２３】
2013241236.tif 000025
【図２４】
2013241236.tif 000026